(57)【要約】    【課題】通話が成立されている機器の間においてデジタル音声信号の送受信を行うにあたり、音声コーデックに与えるマスタクロックの微妙な周波数の不整合を抑えて良好な通話音質を確保する。    【解決手段】子機／親機ラインＬ1を経由して接続された親機２ａとの間でデジタル音声信号を送受信して通話を成立させることができる子機１ａの子機マスタクロック補正回路１０６は、子機クロック発生回路１０２にて発生された子機マスタクロックＭＣＫ1により子機カウンタ１０５にて生成された子機カウント値ＣＴ1と、居室親機の親機クロック発生回路２０２にて発生された親機マスタクロックＭＣＫ2により親機カウンタ２０５にて生成された親機カウント値ＣＴ2とを比較し、その比較結果に応じて子機マスタクロックの値を修正して子機音声コーデック１０３を制御する。  【選択図】図１
2007266856.tif 000002
【特許請求の範囲】
【請求項１】
子機マイク（１００）および子機スピーカ（１０１）を有する子機（１ａ）と、前記子機に子機／親機ライン（Ｌ1）を経由して接続され親機マイク（２００）および親機スピーカ（２０１）を有する親機（２ａ）との間でデジタル音声信号を送受信して通話を成立させる音声同期式送受信装置であって、
前記子機は、子機マスタクロックを発生するための子機クロック発生回路（１０２）と、前記子機マスタクロックの周期によって動作され、前記子機マイクおよび前記子機スピーカにて入出力される音声をアナログ／デジタル変換、デジタル／アナログ変換するための子機音声コーデック（１０３）と、前記子機マスタクロックで子機カウント値を生成するための子機カウンタ（１０５）とを備え、
前記親機は、親機マスタクロックを発生するための親機クロック発生回路（２０２）と、前記親機マスタクロックによって動作され、前記親機マイクおよび前記親機スピーカにて入出力される音声をアナログ／デジタル変換、デジタル／アナログ変換するための親機音声コーデック（２０３）と、前記親機マスタクロックで親機カウント値を生成するための親機カウンタ（２０５）と、前記子機／親機ラインを経由して伝送される前記デジタル音声信号の送受信および前記親機カウント値の送信を行うための親機送受信回路（２０６）とを備え、
前記子機は、前記子機／親機ラインを経由して伝送される前記デジタル音声信号の送受信および前記親機カウンタ値の受信を行うための子機送受信回路（１０７）と、前記子機カウント値と前記親機カウント値との比較結果に応じて前記子機マスタクロックの値を修正する子機修正マスタクロックを発生するための子機マスタクロック補正回路（１０６）とを備えたことを特徴とする音声同期式送受信装置。
【請求項２】
子機マイク（１００）および子機スピーカ（１０１）を有する子機（１ｂ）と、前記子機に子機／親機ライン（Ｌ1）を経由して接続され親機マイク（２００）および親機スピーカ（２０１）を有する親機（２ｂ）との間でデジタル音声信号を送受信して通話を成立させる音声同期式送受信装置であって、
前記子機は、子機マスタクロックを発生するための子機クロック発生回路（１０２）と、前記子機マスタクロックの周期によって動作され、前記子機マイクおよび前記子機スピーカにて入出力される音声をアナログ／デジタル変換、デジタル／アナログ変換するための子機音声コーデック（１０３）と、前記子機マスタクロックで子機カウント値を生成するための子機カウンタ（１０５）と、前記子機／親機ラインを経由して伝送される前記デジタル音声信号の送受信および前記子機カウンタ値の送信を行うための子機送受信回路（１０７）とを備え、
前記親機は、親機マスタクロックを発生するための親機クロック発生回路（２０２）と、前記親機マスタクロックの周期によって動作され、前記親機マイクおよび前記親機スピーカにて入出力される音声をアナログ／デジタル変換、デジタル／アナログ変換するための親機音声コーデック（２０３）と、前記親機マスタクロックで親機カウント値を生成するための親機カウンタ（２０５）と、前記子機／親機ラインを経由して伝送される前記デジタル音声信号の送受信および前記子機カウンタ値の受信を行うための親機送受信回路（２０６）と、前記親機カウント値と前記子機カウント値との比較結果に応じて前記親機マスタクロックの値を修正する親機修正マスタクロックを発生するための親機マスタクロック補正回路（２０７）とを備えたことを特徴とする音声同期式送受信装置。
【請求項３】
子機マイク（１００）および子機スピーカ（１０１）を有する子機（１ｃ）と、前記子機に子機／親機ライン（Ｌ1）を経由して接続され親機マイク（２００）および親機スピーカ（２０１）を有する親機（２ｃ）と、前記親機に親機／増設親機ライン（Ｌ2）を経由して接続され増設親機マイク（３００）および増設親機スピーカ（３０１）を有する増設親機（３）との間でデジタル音声信号を送受信して通話を成立させる音声同期式送受信装置であって、
前記子機は、子機マスタクロックを発生するための子機クロック発生回路（１０２）と、前記子機マスタクロックの周期によって動作され、前記子機マイクおよび前記子機スピーカにて入出力される音声をアナログ／デジタル変換、デジタル／アナログ変換するための子機音声コーデック（１０３）と、前記子機マスタクロックで子機カウント値を生成するための子機カウンタ（１０５）と、前記子機／親機ラインを経由して伝送される前記デジタル音声信号の送受信および前記子機カウンタ値の送信を行うための子機送受信回路（１０７）とを備え、
前記親機は、親機マスタクロックを発生するための親機クロック発生回路（２０２）と、前記親機マスタクロックの周期によって動作され、前記親機マイクおよび前記親機スピーカにて入出力される音声をアナログ／デジタル変換、デジタル／アナログ変換するための親機音声コーデック（２０３）と、前記親機マスタクロックで親機カウント値を生成するための親機カウンタ（２０５）と、前記子機／親機ライン、前記親機／増設親機ラインをそれぞれ経由して伝送される前記デジタル音声信号の送受信、前記子機カウント値の送受信および前記親機カウンタ値の送信を行うための親機送受信回路（２０６）とを備え、
前記増設親機は、増設親機マスタクロックを発生するための増設親機クロック発生回路（３０２）と、前記増設親機マスタクロックの周期によって動作され、前記増設親機マイクおよび前記増設親機スピーカにて入出力される音声をアナログ／デジタル変換、デジタル／アナログ変換するための増設親機音声コーデック（３０３）と、前記増設親機マスタクロックで増設親機カウント値を生成するための増設親機カウンタ（３０４）と、前記親機／増設親機ラインを経由して伝送される前記デジタル音声信号の送受信、前記子機カウント値または前記親機カウンタ値を受信するための増設親機送受信回路（３０７）と、前記増設親機カウント値と前記子機カウンタ値または前記親機カウント値との比較結果に応じて前記増設親機マスタクロックの値を修正する増設親機修正マスタクロックを発生するための増設親機マスタクロック補正回路（３０６）とを備えたことを特徴とする音声同期式送受信装置。
【請求項４】
通話ライン（Ｌ1、Ｌ2）を経由して接続された複数の送受信機（１ａ、２ａ、１ｂ、２ｂ、１ｃ、２ｃ、３）の間でデジタル音声信号を送受信して通話を成立させる音声同期式送受信装置であって、
前記複数の送受信機のそれぞれは、前記通話を成立させるための音声を入出力するマイク（１００、２００、３００）、スピーカ（１０１、２０１、３０１）と、マスタクロックを発生するためのクロック発生回路（１０２、２０２、３０２）と、前記マスタクロックの周期によって動作され、前記マイクおよび前記スピーカにて入出力される音声をアナログ／デジタル変換、デジタル／アナログ変換するための音声コーデック（１０３、２０３、３０３）と、前記マスタクロックでカウント値を生成するためのカウンタ（１０５、２０５、３０５）と、前記通話ラインを経由して他の送受信機との間で前記デジタル音声信号の送受信、前記カウント値の送信または受信を行うための送受信回路（１０７、２０６）を備え、
前記複数の送受信機のうち少なくとも１の送受信機は、前記カウント値を、前記通話ラインを経由して他の送受信機に送信するように構成され、
前記複数の送受信機のうち前記少なくとも１の送受信機を除く他の送受信機は、自機の前記カウンタにて生成されたカウント値と前記送受信回路にて受信されたカウント値との比較結果に応じて自機の前記マスタクロックの値を修正する修正マスタクロックを発生するためのマスタクロック補正回路（１０６、２０７、３０６）とを備えたことを特徴とする音声同期式送受信装置。
【請求項５】
前記複数の送受信機のうち前記少なくとも１の送受信機は、住戸内に設置される室内機であり、
前記複数の送受信機のうち前記少なくとも１の送受信機を除く他の送受信機は、住戸外に設置される室外機であることを特徴とする請求項４記載の音声同期式送受信装置。
【請求項６】
前記複数の送受信機のうち前記少なくとも１の送受信機は、住戸外に設置される室外機であり、
前記複数の送受信機のうち前記少なくとも１の送受信機を除く他の送受信機は、住戸内に設置される室内機であることを特徴とする請求項４記載の音声同期式送受信装置。
【請求項７】
通話ライン（Ｌ1、Ｌ2）を経由して接続された少なくとも一対の送受信機（１ａ、２ａ、１ｂ、２ｂ、１ｃ、２ｃ、３）の間でデジタル音声信号を送受信して通話を成立させる前記送受信機に組み込んで使用される信号処理システムであって、
前記送受信機のそれぞれは、通話を成立させるための音声を入出力するマイク（１００、２００、３００）、スピーカ（１０１、２０１、３０１）を備え、
前記信号処理システムは、マスタクロックを発生するためのクロック発生回路（１０２、２０２、３０２）と、前記マスタクロックの周期によって動作され、前記送受信機の前記マイクおよび前記スピーカにて入出力される音声をアナログ／デジタル変換、デジタル／アナログ変換するための音声コーデック（１０３、２０３、３０３）と、前記マスタクロックでカウント値を生成するためのカウンタ（１０５、２０５、３０５）とを備え、
前記信号処理システムのうち少なくとも１の信号処理部は、前記通話ラインを経由して伝送される前記デジタル音声信号の送受信および前記カウント値の送信を行うための送受信回路（１０７、２０６）を備え、
前記信号処理システムのうち少なくとも１の信号処理システムを除く他の信号処理システムは、前記通話ラインを経由して伝送される前記デジタル音声信号の送受信および前記カウント値の受信を行うための送受信回路（１０７、２０６、３０７）と、前記カウンタにて生成された前記カウント値と前記送受信回路にて受信されたカウント値との比較結果に応じて前記マスタクロックの値を修正する修正マスタクロックを発生するためのマスタクロック補正回路（１０６、２０７、３０６）とを備えたことを特徴とする音声処理システム。
【請求項８】
通話ライン（Ｌ1、Ｌ2）を経由して接続された少なくとも一対の送受信機（１ａ、２ａ、１ｂ、２ｂ、１ｃ、２ｃ、３）の間でデジタル音声信号を送受信して通話を成立させる音声同期式送受信装置に組み込んで使用される信号処理装置であって、
前記送受信機のそれぞれは、通話を成立させるための音声を入出力するマイク（１００、２００、３００）、スピーカ（１０１、２０１、３０１）と前記信号処理装置とを備え、
前記信号処理装置のそれぞれは、マスタクロックを発生するためのクロック発生回路（１０２、２０２、３０２）と、前記マスタクロックの周期によって動作され、前記マイクおよび前記スピーカにて入出力される音声をアナログ／デジタル変換、デジタル／アナログ変換するための音声コーデック（１０３、２０３、３０３）と、前記マスタクロックでカウント値を生成するためのカウンタ（１０５、２０５、３０５）と、前記通話ラインを経由して他の送受信機との間で前記デジタル音声信号の送受信、前記カウント値の送信または受信を行うための送受信回路（１０７、２０６、３０７）とを備え、
前記送受信機のうち少なくとも１の送受信機の信号処理装置は、自装置の前記カウント値を、前記通話ラインを経由して他の送受信機の信号処理装置に送信するように構成され、
前記送受信機のうち少なくとも１の送受信機を除く他の送受信機の信号処理装置は、自装置の前記カウンタにて生成されたカウント値と前記送受信回路にて受信されたカウント値との比較結果に応じて自装置の前記マスタクロックの値を修正する修正マスタクロックを発生するためのマスタクロック補正回路（１０６、２０７、３０６）とを備えたことを特徴とする信号処理装置。
【発明の詳細な説明】
【技術分野】
【０００１】
本発明は、デジタル音声信号を送受信して通話を成立させる装置／システムに係り、特に、良好な通話音質を確保することができる音声同期式送受信装置、信号処理システムおよび当該音声同期式送受信装置に組み込んで使用される信号処理装置に関する。
【背景技術】
【０００２】
従来から、音声信号を高能率に圧縮伝送された音声符号化データを復号するにあたり、無音区間の出現頻度が少ない連続音声の伝送でも、音声品質の劣化を抑制する音声復号装置が開示されている（例えば、特許文献１を参照。）。
【０００３】
この音声復号装置によれば、揺らぎ吸収バッファに蓄積されている音声符号化データのデータ量が下限データ量を下回ると、音声信号蓄積バッファに蓄積させる音声信号を補間するように構成したので、無音区間の出現頻度が少ない連続音声の伝送でも、揺らぎ吸収バッファのオーバフローによる音声品質の劣化を抑制することができる効果がある。また、音声符号化データの符号化パラメータに基づいて補間サンプル数を決定するように構成したので、揺らぎ吸収バッファの蓄積量を適切に回復することができる。さらには、音声符号化データの符号化パラメータに基づいて補間用の音声信号を生成するように構成したので、補間用の音声信号をより自然に近い形で供給することができる効果がある。
【０００４】
【特許文献１】特開２００３−５０５９８号公報（段落番号「００３７」乃至「０１０９」、第１図乃至第２１図）
【発明の開示】
【発明が解決しようとする課題】
【０００５】
しかしながら、背景技術に記載した特許文献１の音声復号装置によれば、音声符号化データの符号化パラメータに基づいて補間サンプル数を決定するように、例えば、デジタル音声信号から１サンプリングデータを挿入（複製）または削除するため、このデジタル音声信号をデジタル／アナログ変換させたアナログ音声信号が連続性を失い、通話の成立中において通話者に不快感を与える「プツ」といった音がスピーカから出力される虞があり、良好な通話音質を確保することができなかった。
【０００６】
本発明は、この難点を解消するためになされたもので、通話が成立されている機器の間においてデジタル音声信号の送受信を行うにあたり、音声コーデックに与えるマスタクロックの微妙な周波数の不整合を抑えて良好な通話音質を確保することができる音声同期式送受信装置、信号処理システムおよび当該音声同期式送受信装置に組み込んで使用される信号処理装置を提供することを目的としている。
【課題を解決するための手段】
【０００７】
前述の目的を達成するため、本発明の第１の態様である音声同期式送受信装置は、子機マイクおよび子機スピーカを有する子機と、子機に子機／親機ラインを経由して接続され親機マイクおよび親機スピーカを有する親機との間でデジタル音声信号を送受信して通話を成立させるものである。子機は、子機マスタクロックを発生するための子機クロック発生回路と、子機マスタクロックの周期によって動作され、子機マイクおよび子機スピーカにて入出力される音声をアナログ／デジタル変換、デジタル／アナログ変換するための子機音声コーデックと、子機マスタクロックで子機カウント値を生成するための子機カウンタとを備えたものである。親機は、親機マスタクロックを発生するための親機クロック発生回路と、親機マスタクロックの周期によって動作され、親機マイクおよび親機スピーカにて入出力される音声をアナログ／デジタル変換、デジタル／アナログ変換するための親機音声コーデックと、親機マスタクロックで親機カウント値を生成するための親機カウンタと、子機／親機ラインを経由して伝送されるデジタル音声信号の送受信および親機カウント値の送信を行うための親機送受信回路とを備えたものである。子機は、子機／親機ラインを経由して伝送されるデジタル音声信号の送受信および親機カウンタ値の受信を行うための子機送受信回路と、子機カウント値と親機カウント値との比較結果に応じて子機マスタクロックの値を修正する子機修正マスタクロックを発生するための子機マスタクロック補正回路とを備えたものである。
【０００８】
このような第１の態様によれば、子機／親機ラインを経由して接続された子機および親機の間においてデジタル音声信号を送受信して通話を成立させるにあたり、子機の子機音声コーデック、親機の親機音声コーデックにそれぞれ与えられるマスタクロック（子機マスタクロック、親機マスタクロック）の微妙な周波数の不整合を、子機の子機マスタクロック補正回路の制御により抑えることができる。
【０００９】
また、本発明の第２の態様である音声同期式送受信装置は、子機マイクおよび子機スピーカを有する子機と、子機に子機／親機ラインを経由して接続され親機マイクおよび親機スピーカを有する親機との間でデジタル音声信号を送受信して通話を成立させるものである。子機は、子機マスタクロックを発生するための子機クロック発生回路と、子機マスタクロックの周期によって動作され、子機マイクおよび子機スピーカにて入出力される音声をアナログ／デジタル変換、デジタル／アナログ変換するための子機音声コーデックと、子機マスタクロックで子機カウント値を生成するための子機カウンタと、子機／親機ラインを経由して伝送されるデジタル音声信号の送受信および子機カウンタ値の送信を行うための子機送受信回路とを備えたものである。親機は、親機マスタクロックを発生するための親機クロック発生回路と、親機マスタクロックの周期によって動作され、親機マイクおよび親機スピーカにて入出力される音声をアナログ／デジタル変換、デジタル／アナログ変換するための親機音声コーデックと、親機マスタクロックで親機カウント値を生成するための親機カウンタと、子機／親機ラインを経由して伝送されるデジタル音声信号の送受信および子機カウンタ値の受信を行うための親機送受信回路と、親機カウント値と子機カウント値との比較結果に応じて親機マスタクロックの値を修正する親機修正マスタクロックを発生するための親機マスタクロック補正回路とを備えたものである。
【００１０】
このような第２の態様によれば、子機／親機ラインを経由して接続された子機および親機の間においてデジタル音声信号を送受信して通話を成立させるにあたり、子機の子機音声コーデック、親機の親機音声コーデックにそれぞれ与えられるマスタクロック（子機マスタクロック、親機マスタクロック）の微妙な周波数の不整合を、親機の親機マスタクロック補正回路の制御により抑えることができる。
【００１１】
また、本発明の第３の態様である音声同期式送受信装置は、子機マイクおよび子機スピーカを有する子機と、子機に子機／親機ラインを経由して接続され親機マイクおよび親機スピーカを有する親機と、親機に親機／増設親機ラインを経由して接続され増設親機マイクおよび増設親機スピーカを有する増設親機との間でデジタル音声信号を送受信して通話を成立させるものである。子機は、子機マスタクロックを発生するための子機クロック発生回路と、子機マスタクロックの周期によって動作され、子機マイクおよび子機スピーカにて入出力される音声をアナログ／デジタル変換、デジタル／アナログ変換するための子機音声コーデックと、子機マスタクロックで子機カウント値を生成するための子機カウンタと、子機／親機ラインを経由して伝送されるデジタル音声信号の送受信および子機カウンタ値の送信を行うための子機送受信回路とを備えたものである。親機は、親機マスタクロックを発生するための親機クロック発生回路と、親機マスタクロックの周期によって動作され、親機マイクおよび親機スピーカにて入出力される音声をアナログ／デジタル変換、デジタル／アナログ変換するための親機音声コーデックと、親機マスタクロックで親機カウント値を生成するための親機カウンタと、子機／親機ライン、親機／増設親機ラインをそれぞれ経由して伝送されるデジタル音声信号の送受信、子機カウント値の送受信および親機カウンタ値の送信を行うための親機送受信回路とを備えたものである。増設親機は、増設親機マスタクロックを発生するための増設親機クロック発生回路と、増設親機マスタクロックの周期によって動作され、増設親機マイクおよび増設親機スピーカにて入出力される音声をアナログ／デジタル変換、デジタル／アナログ変換するための増設親機音声コーデックと、増設親機マスタクロックで増設親機カウント値を生成するための増設親機カウンタと、親機／増設親機ラインを経由して伝送されるデジタル音声信号の送受信、子機カウント値または親機カウンタ値の受信を行うための増設親機送受信回路と、増設親機カウント値と子機カウンタ値または親機カウント値との比較結果に応じて増設親機マスタクロックの値を修正する増設親機修正マスタクロックを発生するための増設親機マスタクロック補正回路を備えたものである。
【００１２】
このような第３の態様によれば、子機／親機ライン、親機、親機／増設親機ラインを経由して接続された子機および増設親機の間においてデジタル音声信号を送受信して通話を成立させるにあたり、子機の子機音声コーデック、増設親機の増設親機音声コーデックにそれぞれ与えられるマスタクロック（子機マスタクロック、増設親機マスタクロック）の微妙な周波数の不整合を、増設親機の増設親機マスタクロック補正回路の制御により抑えることができる。また、親機／増設親機ラインを経由して接続された親機および増設親機の間においてデジタル音声信号を送受信して通話を成立させるにあたり、増設親機の親機音声コーデック、増設親機の増設親機音声コーデックにそれぞれ与えられるマスタクロック（親機マスタクロック、増設親機マスタクロック）の微妙な周波数の不整合を、増設親機の増設親機マスタクロック補正回路の制御により抑えることができる。
【００１３】
また、本発明の第４の態様である音声同期式送受信装置は、通話ラインを経由して接続された複数の送受信機の間でデジタル音声信号を送受信して通話を成立させるものである。複数の送受信機は、通話を成立させるための音声を入出力するマイク、スピーカと、マスタクロックを発生するためのクロック発生回路と、マスタクロックの周期によって動作され、マイクおよびスピーカにて入出力される音声をアナログ／デジタル変換、デジタル／アナログ変換するための音声コーデックと、マスタクロックでカウント値を生成するためのカウンタと、通話ラインを経由して伝送されるデジタル音声信号の送受信、カウント値の送信または受信を行うための送受信回路を備えたものである。複数の送受信機のうち少なくとも１の送受信機は、カウント値を、通話ラインを経由して他の送受信に送信するように構成されたものである。複数の送受信機のうち少なくとも１の送受信機を除く他の送受信機は、自機のカウンタにて生成されたカウント値と送受信回路にて受信されたカウント値との比較結果に応じてマスタクロックの値を修正する修正マスタクロックを発生するためのマスタクロック補正回路とを備えたものである。
【００１４】
このような第４の態様によれば、通話ラインを経由して接続された複数の送受信機の間においてデジタル音声信号を送受信して通話を成立させるにあたり、複数の送受信機のうち少なくとも１の送受信機の音声コーデック、複数の送受信機のうち少なくとも１の送受信機を除く他の送受信機の音声コーデックにそれぞれ与えられるマスタクロックの微妙な周波数の不整合を、複数の送受信機のうち少なくとも１の送受信機を除く他の送受信機のマスタクロック補正回路の制御により抑えることができる。
【００１５】
また、本発明の第５の態様である音声同期式送受信装置は、本発明の第４の態様において、複数の送受信機のうち少なくとも１の送受信機は、住戸内に設置される室内機であり、複数の送受信機のうち少なくとも１の送受信機を除く他の送受信機は、住戸外に設置される室外機である。
【００１６】
また、本発明の第６の態様である音声同期式送受信装置は、本発明の第４の態様において、複数の送受信機のうち少なくとも１の送受信機は、住戸外に設置される室外機であり、複数の送受信機のうち少なくとも１の送受信機を除く他の送受信機は、住戸内に設置される室内機である。
【００１７】
また、本発明の第７の態様である信号処理システムは、通話ラインを経由して接続された少なくとも一対の送受信機の間でデジタル音声信号を送受信して通話を成立させる送受信機に組み込んで使用されるシステムである。少なくとも一対の送受信機は、通話を成立させるための音声を入出力するマイク、スピーカを備えたものである。信号処理システムは、マスタクロックを発生するためのクロック発生回路と、マスタクロックの周期によって動作され、送受信機のマイクおよびスピーカにて入出力される音声をアナログ／デジタル変換、デジタル／アナログ変換するための音声コーデックと、マスタクロックでカウント値を生成するためのカウンタとを備えたものである。信号処理システムのうち少なくとも１の信号処理システムは、通話ラインを経由して伝送されるデジタル音声信号の送受信およびカウント値の送信を行うための送受信回路を備えたものである。信号処理システムのうち少なくとも１の信号処理システムを除く他の信号処理システムは、通話ラインを経由して伝送されるデジタル音声信号の送受信およびカウント値の受信を行うための送受信回路と、カウンタにて生成されたカウント値と送受信回路にて受信されたカウント値との比較結果に応じてマスタクロックの値を修正する修正マスタクロックを発生するためのマスタクロック補正回路とを備えたものである。
【００１８】
このような第７の態様によれば、通話ラインを経由して接続された少なくとも一対の送受信機の間においてデジタル音声信号を送受信して通話を成立させるにあたり、一対の送受信機のうち一方の送受信機の信号処理システムを構成する音声コーデック、一対の送受信機のうち他方の送受信機の信号処理システムを構成する音声コーデックにそれぞれ与えられるマスタクロックの微妙な周波数の不整合を、一対の送受信機のうち他方の送受信機の信号処理システムを構成するマスタクロック補正回路の制御により抑えることができる。
【００１９】
また、本発明の第８の態様である音声同期式送受信装置に組み込んで使用される信号処理装置は、通話ラインを経由して接続された少なくとも一対の送受信機の間でデジタル音声信号を送受信して通話を成立させる装置である。送受信機のそれぞれは、通話を成立させるための音声を入出力するマイク、スピーカと信号処理装置とを備えたものである。信号処理装置のそれぞれは、マスタクロックを発生するためのクロック発生回路と、マスタクロックの周期によって動作され、マイクおよびスピーカにて入出力される音声をアナログ／デジタル変換、デジタル／アナログ変換するための音声コーデックと、マスタクロックでカウント値を生成するためのカウンタと、通話ラインを経由して他の送受信機との間でデジタル音声信号の送受信、カウント値の送信または受信を行うための送受信回路とを備えたものである。送受信機のうち少なくとも１の送受信機の信号処理装置は、自装置のカウント値を、通話ラインを経由して他の送受信機の信号処理装置に送信するように構成されたものである。送受信機のうち少なくとも１の送受信機を除く他の送受信機の信号処理装置は、自装置のカウンタにて生成されたカウント値と送受信回路にて受信されたカウント値との比較結果に応じて自装置のマスタクロックの値を修正する修正マスタクロックを発生するためのマスタクロック補正回路とを備えたものである。
【００２０】
このような第８の態様によれば、通話ラインを経由して接続された少なくとも一対の送受信機の間においてデジタル音声信号を送受信して通話を成立させる音声同期式送受信装置に組み込んで使用される信号処理装置において、一対の送受信機のうち一方の送受信機の信号処理装置を構成する音声コーデック、一対の送受信機のうち他方の送受信機の信号処理装置を構成する音声コーデックにそれぞれ与えられるマスタクロックの微妙な周波数の不整合を、一対の送受信機のうち他方の送受信機の信号処理装置を構成するマスタクロック補正回路の制御により抑えることができる。
【発明の効果】
【００２１】
本発明の音声同期式送受信装置、信号処理システムおよび当該音声同期式送受信装置に組み込んで使用される信号処理装置によれば、通話が成立されている機器の間においてデジタル音声信号の送受信を行うにあたり、音声コーデックに与えるマスタクロックの微妙な周波数の不整合を、マスタクロック補正回路の制御により抑えることができる。これにより、デジタル音声信号からアナログ音声信号にデジタル／アナログ変換する際に連続性が失われず、通話の成立中において通話者に不快感を与えない良好な通話音質を確保することができる。
【発明を実施するための最良の形態】
【００２２】
以下、本発明の音声同期式送受信装置、信号処理システムおよび当該音声同期式送受信装置に組み込んで使用される信号処理装置を適用した最良の実施の形態例について、図面を参照して説明する。
【００２３】
図１は、本発明の第１の実施例による音声同期式送受信装置の具体的な構成を示すブロック図である。
【００２４】
図１に示す音声同期式送受信装置は、異なる２つの機器の間でデジタル音声信号を送受信させて通話を行う当該装置である。この音声同期式送受信装置は、玄関に設置される子機（以下、第１の子機という。）１ａと、住戸内に設置される親機（以下、第１の親機という。）２ａとを有しており、第１の子機１ａおよび第１の親機２ａの間は、子機／親機ラインＬ1を経由して接続されている。
【００２５】
第１の親機２ａには、親機マイク２００、親機スピーカ２０１、親機クロック発生回路２０２、親機音声コーデック２０３、親機バッファ２０４、親機カウンタ２０５、親機送受信回路２０６が備えられている。
【００２６】
この第１の親機２ａにおいて、親機マイク２００および親機スピーカ２０１は、住戸内に在室中の居住者が玄関に居る人物、例えば、来訪者との間で通話を成立させるにあたり、音声（送話音声、受話音声）を入出力するためのものである。
【００２７】
親機クロック発生回路２０２は、例えば、周波数の値が１１．０２５（２．８８２２４×２５６）ｋＨｚ、その周波数のばらつきが±２００ｐｐｍ（２００×１０-6）の親機マスタクロックを生成するためのものである。
【００２８】
親機音声コーデック２０３は、親機クロック発生回路２０２にて発生された親機マスタクロックの周期によって動作され、親機マイク２００および親機スピーカ２０１にて入出力される音声（送話音声、受話音声）をアナログ／デジタル変換、デジタル／アナログ変換するためのものである。
【００２９】
親機バッファ２０４は、親機マイク２００に入力された音声（送話音声）であり親機音声コーデック２０３を経由してアナログ／デジタル変換されたデジタル音声信号を（一時的に）蓄積するとともに、親機スピーカ２０１から出力させる音声（受話音声）である（第１の子機１ａからの）デジタル音声信号を（一時的に）蓄積するためのものである。
【００３０】
親機カウンタ２０５は、親機クロック発生回路２０２にて発生される親機マスタクロックで親機カウント値を生成するためのものである。
【００３１】
親機送受信回路２０６は、子機／親機ラインＬ1を経由して伝送されるデジタル音声信号の送受信を行うとともに、親機カウンタ２０５にて生成された親機カウント値を子機／親機ラインＬ1に送信するためのものである。
【００３２】
また、第１の子機１ａには、子機マイク１００、子機スピーカ１０１、子機クロック発生回路１０２、子機音声コーデック１０３、子機バッファ１０４、子機カウンタ１０５、子機マスタクロック補正回路１０６、子機送受信回路１０７が備えられている。
【００３３】
この第１の子機１ａにおいて、子機マイク１００および子機スピーカ１０１は、来訪者が居住者との間で通話を成立させるにあたり、音声（送話音声、受話音声）を入出力するためのものである。
【００３４】
子機クロック発生回路１０２は、例えば、周波数の値が１１．０２５（２．８８２２４×２５６）ｋＨｚ、その周波数のばらつきが±２００ｐｐｍ（２００×１０-6）の子機マスタクロックを生成するためのものである。
【００３５】
子機音声コーデック１０３は、子機クロック発生回路１０２にて発生された子機マスタクロックの周期によって動作され、子機マイク１００および子機スピーカ１０１にて入出力される音声（送話音声、受話音声）をアナログ／デジタル変換、デジタル／アナログ変換するためのものである。
【００３６】
子機バッファ１０４は、子機マイク１００に入力された音声（送話音声）であり子機音声コーデック１０３を経由してアナログ／デジタル変換されたデジタル音声信号を（一時的に）蓄積するとともに、子機スピーカ１０１から出力させる音声（受話音声）である（第１の親機２ａからの）デジタル音声信号を（一時的に）蓄積するためのものである。
【００３７】
子機カウンタ１０５は、子機クロック発生回路１０２にて発生された子機マスタクロックで子機カウント値を生成するためのものである。
【００３８】
子機マスタクロック補正回路１０６は、子機カウンタ１０５にて生成された子機カウント値と第１の親機２ａの親機カウンタ２０５にて生成された親機カウント値との比較結果に応じて、子機マスタクロックの値を修正した子機修正マスタクロックを発生するためのものである。この子機補正マスタクロックを発生するためのクロックとしては、例えば、４５．１５８４（２．８８２２４×１６）ＭＨｚが適用されている。
【００３９】
子機送受信回路１０７は、子機／親機ラインＬ1を経由して伝送されるデジタル音声信号の送受信を行うとともに、子機／親機ラインＬ1を経由して伝送されてきた親機カウント値を受信して子機マスタクロック補正回路１０６に出力するためのものである。
【００４０】
このように構成された本発明の第１の実施例による音声同期式送受信装置において、以下、具体的な通話動作、すなわち、第１の子機１ａの使用者である来訪者と第１の親機２ａの使用者である居住者との間で通話を成立させる動作について説明する。なお、この通話が成立される前提条件として、第１の子機１ａおよび第１の親機２ａの間におけるマスタクロックの最大偏歪が±４００ｐｐｍ（±４００×１０-6）であるものとすると、１秒間のマスタクロックのずれは、±１１２８．９６（±４００×１０-6×１１．０２５×２５６）サイクル／秒となる。
【００４１】
図１に示す第１の子機１ａの子機マイク１００および子機スピーカ１０１と、子機音声コーデック１０３、子機バッファ１０４、子機送受信回路１０７、子機／親機ラインＬ1、第１の親機２ａの親機送受信回路２０６、親機バッファ２０４、親機音声コーデック２０３を経由して親機マイク２００および親機スピーカ２０１との間の通話路が形成されているとき、第１の子機１ａの子機カウンタ１０５は、子機クロック発生回路１０２にて発生された例えば、図２（ａ）に示す子機マスタクロックＭＣＫ1で子機カウント値ＣＴ1を生成する。この子機カウント値ＣＴ1は、一定の間隔で子機マスタクロック補正回路１０６に出力されている。また、第１の親機２ａの親機カウンタ２０５は、親機クロック発生回路２０２にて発生された例えば、図２（ｂ）に示す親機マスタクロックＭＣＫ2で親機カウント値ＣＴ2を生成する。この親機カウント値ＣＴ2は、一定の間隔で、親機送受信回路２０６、子機／親機ラインＬ1、第１の子機１ａの子機送受信回路１０７を経由して子機マスタクロック補正回路１０６に出力されている。
【００４２】
第１の子機１ａの子機マスタクロック補正回路１０６は、子機カウンタ１０５にて生成された子機カウント値ＣＴ1と第１の親機２ａの親機カウンタ２０５にて生成された親機カウント値ＣＴ2とを比較する。
【００４３】
ここで、第１の子機１ａの子機マスタクロック補正回路１０６は、比較結果として、子機カウント値ＣＴ1と親機カウント値ＣＴ2とのずれが予め設定された閾値の範囲内であった場合には、子機マスタクロックＭＣＫ1の値を何ら補正処理せずに子機音声コーデック１０３に出力する。一方、子機カウント値ＣＴ1と親機カウント値ＣＴ2とのずれが予め設定された閾値の範囲外であった場合には、子機マスタクロックＭＣＫ1の値について以下の補正処理を行う。
【００４４】
具体的な補正処理として、第１の子機１ａの子機マスタクロックＭＣＫ1は、第１の親機２ａの親機マスタクロックＭＣＫ2と比較して、１秒間に最大１１２８．９６サイクルずれるため、このサイクルのずれに「６」を乗算させた１８０６３．３６回の補正処理が必要となり、最低２５００サイクル／秒に１回補正処理を行う。例えば、子機カウント値ＣＴ1が親機カウント値ＣＴ2よりも小さい場合には、子機マスタクロックＭＣＫ1の１サイクル分を１／１６のクロック幅で１６回収縮させるような補正処理を繰り返して行う。この補正処理によって発生された子機補正マスタクロックＭＣＫ1aは、親機マスタクロックＭＣＫ2との間で同期をとることができ、一定の間隔で子機音声コーデック１０３に出力される。一方、子機カウント値ＣＴ1が親機カウント値ＣＴ2よりも大きい場合には、子機マスタクロックＭＣＫ1の１サイクル分を１／１６のクロック幅で１６回伸張させるような補正処理を繰り返して行う。この補正処理によって発生された子機補正マスタクロックＭＣＫ1bは、前述の子機補正マスタクロックＭＣＫ1aと同様、親機マスタクロックＭＣＫ2との間で同期をとることができ、一定の間隔で子機音声コーデック１０３に出力される。
【００４５】
また、前述の通話路の形成および第１の子機１ａの子機音声コーデック１０３へのマスタクロック補正処理が行われているとき、子機マスタクロック補正回路１０６にて発生された子機補正マスタクロックＭＣＫ1aの周期または子機補正マスタクロックＭＣＫ1bの周期によって動作する子機音声コーデック１０３は、子機マイク２００に入力された音声（送話音声）であるアナログ音声信号Ｓ1aについてアナログ／デジタル変換させたデジタル音声信号Ｓ1bを、子機バッファ１０４に（一時的に）蓄積する。また、子機送受信回路１０７は、子機バッファ１０４に（一時的に）蓄積されたデジタル音声信号Ｓ1bを、子機／親機ラインＬ1を経由して第１の親機２ａの親機送受信回路２０６に送信する。
【００４６】
第１の親機２ａの親機送受信回路２０６は、子機／親機ラインＬ1を経由して伝送されてきたデジタル音声信号Ｓ1bを、親機バッファ２０４に（一時的に）蓄積させる。このデジタル音声信号Ｓ1bは、親機クロック発生回路２０２にて発生された親機マスタクロックＭＣＫ2の周期によって動作する親機音声コーデック２０３を経由してデジタル音声信号Ｓ1aにデジタル／アナログ変換された後、親機スピーカ２０１から受話音声として出力される。
【００４７】
さらに、前述の通話路の形成および第１の子機１ａの子機音声コーデック１０３へのマスタクロック補正処理が行われているとき、第１の親機２ａの親機クロック発生回路２０２にて発生された親機マスタクロックＭＣＫ2の周期によって動作する親機音声コーデック２０３は、親機マイク２００に入力された音声（送話音声）であるアナログ音声信号Ｓ2aについてアナログ／デジタル変換させたデジタル音声信号Ｓ2bを、親機バッファ２０４に（一時的に）蓄積する。また、親機送受信回路２０６は、親機バッファ２０４に（一時的に）蓄積されたデジタル音声信号Ｓ2bを、子機／親機ラインＬ1を経由して第１の子機１ａの子機送受信回路１０７に送信する。
【００４８】
第１の子機１ａの子機送受信回路１０７は、子機／親機ラインＬ1を経由して伝送されてきたデジタル音声信号Ｓ2bを、子機バッファ１０４に（一時的に）蓄積させる。このデジタル音声信号Ｓ2bは、子機マスタクロック補正回路１０６にて発生された子機補正マスタクロックＭＣＫ1aの周期または子機補正マスタクロックＭＣＫ1bの周期によって動作する子機音声コーデック１０３を経由してデジタル音声信号Ｓ2aにデジタル／アナログ変換された後、子機スピーカ１０１から受話音声として出力される。
【００４９】
前述までの第１の実施例によれば、子機／親機ラインＬ1を経由して接続された第１の子機１ａおよび第１の親機２ａの間においてデジタル音声信号を送受信して通話を成立させるにあたり、第１の子機１ａの子機音声コーデック１０３、第１の親機２ａの親機音声コーデック２０３にそれぞれ与えられるマスタクロック（子機マスタクロック、親機マスタクロック）の微妙な周波数の不整合を、子機マスタクロック補正回路１０６の制御により抑えることができる。これにより、デジタル音声信号からアナログ音声信号にデジタル／アナログ変換する際に連続性が失われず、通話の成立中において通話者に不快感を与えない良好な通話音質を確保することができる。
【００５０】
次に、本発明の第１の実施例と同様な効果を有する別途の音声同期式送受信装置（以下、本発明の第２の実施例による音声同期式送受信装置という。）について、図面を参照して説明する。なお、第１の実施例と同様な構成各部／回路の説明は、省略するものとする。
【００５１】
図３は、本発明の第２の実施例による音声同期式送受信装置の具体的な構成を示すブロック図である。
【００５２】
図３に示す音声同期式インターホン装置は、異なる２つの機器の間でデジタル音声信号を送受信させて通話を行う当該装置である。この音声同期式送受信装置は、玄関に設置される子機（以下、第２の子機という。）１ｂと、住戸内に設置される親機（以下、第２の親機という。）２ｂとを有しており、第２の子機１ｂおよび第２の親機２ｂの間は、子機／親機ラインＬ1を経由して接続されている。
【００５３】
第２の子機１ｂには、子機マイク１００、子機スピーカ１０１、子機クロック発生回路１０２、子機音声コーデック１０３、子機バッファ１０４、子機カウンタ１０５、子機送受信回路１０７が備えられている。
【００５４】
この第２の子機１ｂにおいて、子機送受信回路１０７は、子機／親機ラインＬ1を経由して伝送されるデジタル音声信号の送受信を行うとともに、子機カウンタ１０５にて生成された子機カウント値を子機／親機ラインＬ1に送信するためのものである。
【００５５】
また、第２の親機２ｂには、親機マイク２００、親機スピーカ２０１、親機クロック発生回路２０２、親機音声コーデック２０３、親機バッファ２０４、親機カウンタ２０５、親機送受信回路２０６、親機マスタクロック補正回路２０７が備えられている。
【００５６】
この第２の親機２ｂにおいて、親機送受信回路２０６は、子機／親機ラインＬ1を経由して伝送されるデジタル音声信号の送受信を行うとともに、子機／親機ラインＬ1を経由して伝送されてきた子機カウント値を受信して親機マスタクロック補正回路２０７に出力するためのものである。
【００５７】
親機マスタクロック補正回路２０７は、親機カウンタ２０５にて生成された親機カウント値と第２の子機１ｂの子機カウンタ１０５にて生成された子機カウント値との比較結果に応じて、親機マスタクロックの値を修正した親機修正マスタクロックを発生するためのものである。この親機補正マスタクロックを発生するためのクロックとしては、例えば、４５．１５８４（２．８８２２４×１６）ＭＨｚが適用されている。
【００５８】
このように構成された本発明の第２の実施例による音声同期式送受信装置において、以下、具体的な動作、すなわち、第２の子機１ｂの使用者である来訪者と第２の親機２ｂの使用者である居住者との間で通話を成立させる動作について説明する。なお、前述の第１の実施例と同様、この通話が成立される前提条件として、第２の子機１ｂおよび第２の親機２ｂの間におけるマスタクロックの最大偏歪が±４００ｐｐｍ（±４００×１０-6）であるものとすると、１秒間のマスタクロックのずれは、±１１２８．９６（±４００×１０-6×１１．０２５×２５６）サイクル／秒となる。
【００５９】
図３に示す第２の子機１ｂの子機マイク１００および子機スピーカ１０１と、子機音声コーデック１０３、子機バッファ１０４、子機送受信回路１０７、子機／親機ラインＬ1、第２の親機２ｂの親機送受信回路２０６、親機バッファ２０４、親機音声コーデック２０３を経由して親機マイク２００および親機スピーカ２０１との間の通話路が形成されているとき、第２の子機１ｂの子機カウンタ１０５は、子機クロック発生回路１０２にて発生された例えば、図４（ａ）に示す子機マスタクロックＭＣＫ1で子機カウント値ＣＴ1を生成する。この子機カウント値ＣＴ1は、一定の間隔で、子機送受信回路１０７、子機／親機ラインＬ1、第２の親機２ｂの親機送受信回路２０６を経由して親機マスタクロック補正回路２０７に出力されている。また、第２の親機２ｂの親機カウンタ２０５は、親機クロック発生回路２０２にて発生された例えば、図４（ｂ）に示す親機マスタクロックＭＣＫ2で親機カウント値ＣＴ2を生成する。この親機カウント値ＣＴ2は、一定の間隔で親機音声コーデック２０３に出力されている。
【００６０】
第２の親機２ｂの親機マスタクロック補正回路２０７は、親機カウンタ２０５にて生成された親機カウント値ＣＴ2と第２の子機１ｂの子機カウンタ１０５にて生成された子機カウント値ＣＴ1とを比較する。
【００６１】
ここで、第２の親機２ｂの親機マスタクロック補正回路２０７は、比較結果として、親機カウント値ＣＴ2と子機カウント値ＣＴ1とのずれが予め設定された閾値の範囲内であった場合には、親機マスタクロックＭＣＫ2の値を何ら補正処理せずに親機音声コーデック２０３に出力する。一方、親機カウント値ＣＴ2と子機カウント値ＣＴ1とのずれが予め設定された閾値の範囲外であった場合には、親機マスタクロックＭＣＫ2の値について以下の補正処理を行う。
【００６２】
具体的な補正処理として、第２の親機２ｂの親機マスタクロックＭＣＫ2は、第２の子機１ｂの子機マスタクロックＭＣＫ1と比較して、１秒間に最大１１２８．９６サイクルずれるため、このサイクルのずれに「６」を乗算させた１８０６３．３６回の補正処理が必要となり、最低２５００サイクル／秒に１回補正処理を行う。例えば、親機カウント値ＣＴ2が子機カウント値ＣＴ1よりも小さい場合には、親機マスタクロックＭＣＫ2の１サイクル分を１／１６のクロック幅で１６回収縮させるような補正処理を繰り返して行う。この補正処理によって発生された親機補正マスタクロックＭＣＫ2aは、子機マスタクロックＭＣＫ1との間で同期をとることができ、一定の間隔で親機音声コーデック２０３に出力される。一方、親機カウント値ＣＴ2が子機カウント値ＣＴ1よりも大きい場合には、親機マスタクロックＭＣＫ2の１サイクル分を１／１６のクロック幅で１６回伸張させるような補正処理を繰り返して行う。この補正処理によって発生された親機補正マスタクロックＭＣＫ2bは、前述の親機補正マスタクロックＭＣＫ2aと同様、子機マスタクロックＭＣＫ1との間で同期をとることができ、一定の間隔で親機音声コーデック２０３に出力される。
【００６３】
また、前述の通話路の形成および第２の親機２ｂの親機音声コーデック２０３へのマスタクロック補正処理が行われているとき、第２の子機１ｂの子機クロック発生回路１０２にて発生された子機マスタクロックＭＣＫ1の周期によって動作する子機音声コーデック１０３は、子機マイク１００に入力された音声（送話音声）であるアナログ音声信号Ｓ1aについてアナログ／デジタル変換させたデジタル音声信号Ｓ1bを、子機バッファ１０４に（一時的に）蓄積する。また、子機送受信回路１０７は、子機バッファ１０４に（一時的に）蓄積されたデジタル音声信号Ｓ1bを、子機／親機ラインＬ1を経由して第２の親機２ｂの親機送受信回路２０６に送信する。
【００６４】
第２の親機２ｂの親機送受信回路２０６は、子機／親機ラインＬ1を経由して伝送されてきたデジタル音声信号Ｓ1bを、親機バッファ２０４に（一時的に）蓄積させる。このデジタル音声信号Ｓ1bは、親機マスタクロック補正回路２０７にて発生された親機補正マスタクロックＭＣＫ2aの周期または親機補正マスタクロックＭＣＫ2bの周期によって動作する親機音声コーデック２０３を経由してデジタル音声信号Ｓ1aにデジタル／アナログ変換された後、親機スピーカ２０１から受話音声として出力される。
【００６５】
さらに、前述の通話路の形成および第２の親機２ｂの親機音声コーデック２０３へのマスタクロック補正処理が行われているとき、親機マスタクロック補正回路２０７にて発生された親機補正マスタクロックＭＣＫ2aの周期または親機補正マスタクロックＭＣＫ2bの周期によって動作する親機音声コーデック２０３は、親機マイク２００に入力された音声（送話音声）であるアナログ音声信号Ｓ2aについてアナログ／デジタル変換させたデジタル音声信号Ｓ2bを、親機バッファ２０４に（一時的に）蓄積する。また、親機送受信回路２０６は、親機バッファ２０４に（一時的に）蓄積されたデジタル音声信号Ｓ2bを、子機／親機ラインＬ1を経由して第２の子機１ｂの子機送受信回路１０７に送信する。
【００６６】
第２の子機１ｂの子機送受信回路１０７は、子機／親機ラインＬ1を経由して伝送されてきたデジタル音声信号Ｓ2bを、子機バッファ１０４に（一時的に）蓄積させる。このデジタル音声信号Ｓ2bは、子機クロック発生回路１０２にて発生された子機マスタクロックＭＣＫ1の周期によって動作する子機音声コーデック１０３を経由してデジタル音声信号Ｓ2aにデジタル／アナログ変換された後、子機スピーカ１０１から受話音声として出力される。
【００６７】
前述までの第２の実施例によれば、子機／親機ラインＬ1を経由して接続された第２の子機１ｂおよび第２の親機２ｂの間においてデジタル音声信号を送受信して通話を成立させるにあたり、第２の子機１ｂの子機音声コーデック１０３、第２の親機２ｂの親機音声コーデック２０３にそれぞれ与えられるマスタクロック（子機マスタクロック、親機マスタクロック）の微妙な周波数の不整合を、親機マスタクロック補正回路２０７の制御により抑えることができる。これにより、デジタル音声信号からアナログ音声信号にデジタル／アナログ変換する際に連続性が失われず、通話の成立中において通話者に不快感を与えない良好な通話音質を確保することができる。
【００６８】
次に、本発明の第１、第２の各実施例と同様な効果を有する別途の音声同期式送受信装置（以下、本発明の第３の実施例による音声同期式送受信装置という。）について、図面を参照して説明する。なお、第１、第２の各実施例と同様な構成各部／回路の説明は、省略するものとする。
【００６９】
図５は、本発明の第３の実施例による音声同期式送受信装置の具体的な構成を示すブロック図である。
【００７０】
図５に示す音声同期式送受信装置は、異なる２つの機器の間でデジタル音声信号を送受信させて通話を行う当該装置である。この音声同期式送受信装置は、玄関に設置される子機（以下、第３の子機という。）１ｃと、住戸内に設置される親機（以下、第３の親機という。）２ｃと、住戸内において第３の親機２ｃと異なる場所に設置される少なくとも１台の増設親機、ここでは、１台の増設親機３とを有しており、第３の子機１ｃおよび第３の親機２ｃの間は、子機／親機ラインＬ1を経由して接続され、第３の親機２ｃおよび増設親機３の間は親機／増設親機ラインＬ2を経由して接続されている。
【００７１】
第３の子機１ｃは、子機マイク１００、子機スピーカ１０１、子機クロック発生回路１０２、子機音声コーデック１０３、子機バッファ１０４、子機カウンタ１０５、子機送受信回路１０７を有している。
【００７２】
この第３の子機１ｃにおいて、子機送受信回路１０７は、子機／親機ラインＬ1を経由して伝送されるデジタル音声信号の送受信を行うとともに、子機カウンタ１０５にて生成された子機カウント値を子機／親機ラインＬ1に送信するためのものである。
【００７３】
また、第３の親機２ｃは、親機マイク２００、親機スピーカ２０１、親機クロック発生回路２０２、親機音声コーデック２０３、親機バッファ２０４、親機カウンタ２０５、親機送受信回路２０６を有している。
【００７４】
この第３の親機２ｃにおいて、親機送受信回路１０７は、子機／親機ラインＬ1、親機／増設親機ラインＬ2をそれぞれ経由して伝送されるデジタル音声信号の送受信および子機カウント値の受信／送信を行うとともに、親機カウンタ２０５にて生成された親機カウント値を親機／増設親機ラインＬ2に送信するためのものである。
【００７５】
さらに、増設親機３は、増設親機マイク３００、増設親機スピーカ３０１、増設親機クロック発生回路３０２、増設親機音声コーデック３０３、増設親機バッファ３０４、増設親機カウンタ３０５、増設親機マスタクロック補正回路３０６、増設親機送受信回路３０７が備えられている。
【００７６】
この増設親機３において、増設親機マイク３００および増設親機スピーカ２０１は、居住者が来訪者との間で通話を成立させるにあたり、音声（送話音声、受話音声）を入出力するためのものである。
【００７７】
増設親機クロック発生回路３０２は、例えば、周波数の値が１１．０２５（２．８８２２４×２５６）ｋＨｚ、その周波数のばらつきが±２００ｐｐｍ（２００×１０-6）の増設親機マスタクロックを発生するためのものである。
【００７８】
増設親機音声コーデック３０３は、増設親機クロック発生回路３０２にて発生された増設親機マスタクロックの周期によって動作され、増設親機マイク３００および増設親機スピーカ３０１にて入出力される音声をアナログ／デジタル変換、デジタル／アナログ変換するためのものである。
【００７９】
増設親機バッファ３０４は、増設親機マイク３００に入力された音声（送話音声）であり増設親機音声コーデック３０３を経由してアナログ／デジタル変換されたデジタル音声信号を（一時的に）蓄積するとともに、増設親機スピーカ３０１から出力させる音声（受話音声）である（第３の子機１ｃまたは第３の親機２ｃからの）デジタル音声信号を（一時的に）蓄積するためのものである。
【００８０】
増設親機カウンタ３０５は、増設親機クロック発生回路３０２にて発生された増設親機マスタクロックで増設親機カウント値を生成するためのものである。
【００８１】
増設親機マスタクロック補正回路３０６は、増設親機カウンタ３０５にて生成された増設親機カウント値と第３の子機１ｃの子機カウンタ１０５にて生成された子機カウント値との比較結果、または増設親機カウント値と第３の親機２ｃの親機カウンタ２０５にて生成された親機カウント値との比較結果に応じて、増設親機マスタクロックの値を修正した増設親機修正マスタクロックを発生するためのものである。この増設親機マスタクロックを生成するためのクロックとしては、例えば、４５．１５８４（２．８８２２４×１６）ＭＨｚが適用されている。
【００８２】
増設親機送受信回路３０７は、親機／増設親機ラインＬ2を経由して伝送されるデジタル音声信号の送受信を行うとともに、親機／増設親機ラインＬ2を経由して伝送されてくる子機カウント値または親機カウント値を受信して増設親機マスタクロック補正回路３０６に出力するためのものである。
【００８３】
このように構成された本発明の第３の実施例による音声同期式送受信装置において、以下、具体的な動作、最初に第３の実施例における第１の動作として、第３の親機２ｃの使用者である居住者と増設親機３の使用者である居住者との間で通話（内線通話）を成立させる動作について説明する。なお、前述の第１、第２の各実施例と同様、この通話が成立される前提条件として、第３の親機２ｃおよび増設親機３の間におけるマスタクロックの最大偏歪が±４００ｐｐｍ（±４００×１０-6）であるものとすると、１秒間のマスタクロックのずれは、±１１２８．９６（±４００×１０-6×１１．０２５×２５６）サイクル／秒となる。
【００８４】
図５に示す第３の親機２ｃの親機マイク２００および親機スピーカ２０１と、親機音声コーデック２０３、親機バッファ２０４、親機送受信回路２０６、親機／増設親機ラインＬ2、増設親機３の増設親機送受信回路３０７、増設親機バッファ３０４、増設親機音声コーデック３０３を経由して増設親機マイク３００および増設親機スピーカ３０１との間の通話路（内線通話路）が形成されているとき、第３の親機２ｃの親機カウンタ２０５は、親機クロック発生回路２０２にて発生された例えば、図６（ａ）に示す親機マスタクロックＭＣＫ2で親機カウント値ＣＴ2を生成する。この親機カウント値ＣＴ2は、一定の間隔で、親機送受信回路２０６、親機／増設親機ラインＬ2、増設親機３の増設親機送受信回路３０７を経由して増設親機マスタクロック補正回路３０６に出力されている。また、増設親機３の増設親機カウンタ３０５は、増設親機クロック発生回路３０２にて発生された例えば、図６（ｂ）に示す増設親機マスタクロックＭＣＫ3で増設親機カウント値ＣＴ3を生成する。この増設親機カウント値ＣＴ3は、一定の間隔で増設親機音声コーデック３０３に出力されている。
【００８５】
増設親機３の増設親機マスタクロック補正回路３０６は、増設親機カウンタ３０５にて生成された増設親機カウント値ＣＴ3と第３の親機２ｃの親機カウンタ２０５にて生成された親機カウント値ＣＴ2とを比較する。
【００８６】
ここで、増設親機３の増設親機マスタクロック補正回路３０６は、比較結果として、増設親機カウント値ＣＴ3と親機カウント値ＣＴ2とのずれが予め設定された閾値の範囲内であった場合には、増設親機マスタクロックＭＣＫ3の値を何ら補正処理せずに増設親機音声コーデック３０３に出力する。一方、増設親機カウント値ＣＴ3と親機カウント値ＣＴ2とのずれが予め設定された閾値の範囲外であった場合には、増設親機マスタクロックＭＣＫ3について以下の補正処理を行う。
【００８７】
具体的な補正処理として、増設親機３の増設親機マスタクロックＭＣＫ3は、第３の親機２ｃの親機マスタクロックＭＣＫ2と比較して、１秒間に最大１１２８．９６サイクルずれるため、このサイクルのずれに「６」を乗算させた１８０６３．３６回の補正処理が必要となり、最低２５００サイクル／秒に１回補正処理を行う。例えば、増設親機カウント値ＣＴ3が親機カウント値ＣＴ2よりも小さい場合には、増設親機マスタクロックＭＣＫ3の１サイクル分を１／１６のクロック幅で１６回収縮させるような補正処理を繰り返して行う。この補正処理によって発生された増設親機補正マスタクロックＭＣＫ3aは、親機マスタクロックＭＣＫ2との間で同期をとることができ、一定の間隔で増設親機音声コーデック３０３に出力される。一方、増設親機カウント値ＣＴ3が親機カウント値ＣＴ2よりも大きい場合には、増設親機マスタクロックＭＣＫ3の１サイクル分を１／１６のクロック幅で１６回伸張させるような補正処理を繰り返して行う。この補正処理によって発生された増設親機補正マスタクロックＭＣＫ3bは、前述の増設親機補正マスタクロックＭＣＫ3aと同様、親機マスタクロックＭＣＫ2との間で同期をとることができ、一定の間隔で増設親機音声コーデック３０３に出力される。
【００８８】
また、前述の通話路（内線通話路）の形成および増設親機３の増設親機音声コーデック３０３へのマスタクロック補正処理が行われているとき、第３の親機２ｃの親機クロック発生回路２０２にて発生された親機マスタクロックＭＣＫ2の周期によって動作する親機音声コーデック２０３は、親機マイク２００に入力された音声（送話音声）であるアナログ音声信号Ｓ2aについてアナログ／デジタル変換させたデジタル音声信号Ｓ2bを、親機バッファ２０４に（一時的に）蓄積する。また、親機送受信回路２０６は、親機バッファ２０４に（一時的に）蓄積されたデジタル音声信号Ｓ2bを、親機／増設親機ラインＬ2を経由して増設親機３の増設親機送受信回路３０７に送信する。
【００８９】
増設親機３の増設親機送受信回路３０７は、親機／増設親機ラインＬ2を経由して伝送されてきたデジタル音声信号Ｓ2bを、増設親機バッファ３０４に（一時的に）蓄積させる。このデジタル音声信号Ｓ2bは、増設親機マスタクロック補正回路３０６にて発生された増設親機補正マスタクロックＭＣＫ3aの周期または増設親機補正マスタクロックＭＣＫ3bの周期によって動作する増設親機音声コーデック３０３を経由してデジタル音声信号Ｓ2aにデジタル／アナログ変換された後、増設親機スピーカ３０１から受話音声として出力される。
【００９０】
さらに、増設親機３の増設親機マスタクロック補正回路３０６にて発生された増設親機補正マスタクロックＭＣＫ3aの周期または増設親機補正マスタクロックＭＣＫ3bの周期によって動作する増設親機音声コーデック３０３は、増設親機マイク３００に入力された音声（送話音声）であるアナログ音声信号Ｓ3aについてアナログ／デジタル変換させたデジタル音声信号Ｓ3bを、増設親機バッファ３０４に（一時的に）蓄積する。また、増設親機送受信回路３０７は、増設親機バッファ３０４に（一時的に）蓄積されたデジタル音声信号Ｓ3bを、親機／増設親機ラインＬ2を経由して第３の親機２ｃの親機送受信回路２０６に送信する。
【００９１】
第３の親機２ｃの親機送受信回路２０６は、親機／増設親機ラインＬ2を経由して伝送されてきたデジタル音声信号Ｓ3bを、親機バッファ２０４に（一時的に）蓄積させる。このデジタル音声信号Ｓ3bは、親機クロック発生回路２０２にて発生された親機マスタクロックＭＣＫ2の周期によって動作する親機音声コーデック２０３を経由してデジタル音声信号Ｓ3aにデジタル／アナログ変換された後、親機スピーカ２０１から受話音声として出力される。
【００９２】
前述までの第３の実施例における第１の動作よれば、親機／増設親機ラインＬ2を経由して接続された第３の親機２ｃおよび増設親機３の間においてデジタル音声信号を送受信して通話を成立させるにあたり、第３の親機２ｃの親機音声コーデック２０３、増設親機３の増設親機音声コーデック３０３にそれぞれ与えられるマスタクロック（親機マスタクロック、増設親機マスタクロック）の微妙な周波数の不整合を、増設親機マスタクロック補正回路３０６の制御により抑えることができる。これにより、デジタル音声信号からアナログ音声信号にデジタル／アナログ変換する際に連続性が失われず、通話の成立中において通話者に不快感を与えない良好な通話音質を確保することができる。
【００９３】
次に、本発明の第３の実施例における第２の動作として、第３の子機１ｃの使用者である来訪者と増設親機３の使用者である居住者との間で通話を成立させる動作について説明する。なお、前述の第１、第２の各実施例および第３の実施例における第１の動作と同様、この通話が成立される前提条件として、第３の子機１ｃおよび増設親機３の間におけるマスタクロックの最大偏歪が±４００ｐｐｍ（±４００×１０-6）であるものとすると、１秒間のマスタクロックのずれは、±１１２８．９６（±４００×１０-6×１１．０２５×２５６）サイクル／秒となる。
【００９４】
図５に示す第３の子機１ｃの子機マイク１００および子機スピーカ１０１と、子機音声コーデック１０３、子機バッファ１０４、子機送受信回路１０７、子機／親機ラインＬ1、第３の親機２ｃの親機送受信回路２０６、親機／増設親機ラインＬ2、増設親機３の増設親機送受信回路３０７、増設親機バッファ３０４、増設親機音声コーデック３０３を経由して増設親機マイク３００および増設親機スピーカ３０１との間の通話路が形成されているとき、第３の子機１ｃの子機カウンタ１０５は、子機クロック発生回路１０２にて発生された例えば、図６（ｃ）に示す子機マスタクロックＭＣＫ1で子機カウント値ＣＴ1を生成する。この子機カウント値ＣＴ1は、一定の間隔で、子機送受信回路１０７、子機／親機ラインＬ1、第３の親機２ｃの親機送受信回路２０６、親機／増設親機ラインＬ2、増設親機３の増設親機送受信回路３０７を経由して増設親機マスタクロック補正回路３０６に出力されている。また、増設親機３の増設親機カウンタ３０５は、増設親機クロック発生回路３０２にて発生された例えば、図６（ｄ）に示す増設親機マスタクロックＭＣＫ3で増設親機カウント値ＣＴ3を生成する。この増設親機カウント値ＣＴ3は、一定の間隔で増設親機音声コーデック３０３に出力されている。
【００９５】
増設親機３の増設親機マスタクロック補正回路３０６は、増設親機カウンタ３０５にて生成された増設親機カウント値ＣＴ3と第３の子機１ｃの子機カウンタ１０５にて生成された子機カウント値ＣＴ1とを比較する。
【００９６】
ここで、増設親機３の増設親機マスタクロック補正回路３０６は、比較結果として、増設親機カウント値ＣＴ3と子機カウント値ＣＴ1とのずれが予め設定された閾値の範囲内であった場合には、増設親機マスタクロックＭＣＫ3の値を何ら補正処理せずに増設親機音声コーデック３０３に出力する。一方、増設親機カウント値ＣＴ3と子機カウント値ＣＴ1とのずれが予め設定された閾値の範囲外であった場合には、増設親機マスタクロックＭＣＫ3について以下の補正処理を行う。
【００９７】
具体的な補正処理として、増設親機３の増設親機マスタクロックＭＣＫ3は、第３の子機１ｃの子機マスタクロックＭＣＫ1と比較して、１秒間に最大１１２８．９６サイクルずれるため、このサイクルのずれに「６」を乗算させた１８０６３．３６回の補正処理が必要となり、最低２５００サイクル／秒に１回補正処理を行う。例えば、増設親機カウント値ＣＴ3が子機カウント値ＣＴ1よりも小さい場合には、増設親機マスタクロックＭＣＫ3の１サイクル分を１／１６のクロック幅で１６回収縮させるような補正処理を繰り返して行う。この補正処理によって発生された増設親機補正マスタクロックＭＣＫ3aは、子機マスタクロックＭＣＫ1との間で同期をとることができ、一定の間隔で増設親機音声コーデック３０３に出力される。一方、増設親機カウント値ＣＴ3が子機カウント値ＣＴ1よりも大きい場合には、増設親機マスタクロックＭＣＫ3の１サイクル分を１／１６のクロック幅で１６回伸張させるような補正処理を繰り返して行う。この補正処理によって発生された増設親機補正マスタクロックＭＣＫ3bは、前述の増設親機補正マスタクロックＭＣＫ3aと同様、子機マスタクロックＭＣＫ1との間で同期をとることができ、一定の間隔で増設親機音声コーデック３０３に出力される。
【００９８】
また、前述の通話路の形成および増設親機３の増設親機音声コーデック３０３へのマスタクロック補正処理が行われているとき、第３の子機１ｃの子機クロック発生回路１０２にて発生された子機マスタクロックＭＣＫ1の周期によって動作する子機音声コーデック１０３は、子機マイク１００に入力された音声（送話音声）であるアナログ音声信号Ｓ1aについてアナログ／デジタル変換させたデジタル音声信号Ｓ1bを、子機バッファ１０４に（一時的に）蓄積する。また、子機送受信回路１０７は、子機バッファ１０４に（一時的に）蓄積されたデジタル音声信号Ｓ1bを、子機／親機ラインＬ1、第３の親機２ｃの親機送受信回路２０６、親機／増設親機ラインＬ2を経由して増設親機３の増設親機送受信回路３０７に送信する。
【００９９】
増設親機３の増設親機送受信回路３０７は、親機／増設親機ラインＬ2を経由して伝送されてきたデジタル音声信号Ｓ1bを、増設親機バッファ３０４に（一時的に）蓄積させる。このデジタル音声信号Ｓ1bは、増設親機マスタクロック補正回路３０６にて発生された増設親機補正マスタクロックＭＣＫ3aの周期または増設親機補正マスタクロックＭＣＫ3bの周期によって動作する増設親機音声コーデック３０３を経由してデジタル音声信号Ｓ1aにデジタル／アナログ変換された後、増設親機スピーカ３０１から受話音声として出力される。
【０１００】
さらに、増設親機３の増設親機マスタクロック補正回路３０６にて発生された増設親機マスタクロックＭＣＫ3aの周期または増設親機マスタクロックＭＣＫ3bの周期によって動作する増設親機音声コーデック３０３は、増設親機マイク３００に入力された音声（送話音声）であるアナログ音声信号Ｓ3aについてアナログ／デジタル変換させたデジタル音声信号Ｓ3bを、増設親機バッファ３０４に（一時的に）蓄積する。また、増設親機送受信回路３０７は、増設親機バッファ３０４に（一時的に）蓄積されたデジタル音声信号Ｓ3bを、親機／増設親機ラインＬ2、第３の親機２ｃの親機送受信回路２０６、親機／増設親機ラインＬ1を経由して第３の子機１ｃの子機送受信回路１０７に送信する。
【０１０１】
第３の子機１ｃの子機送受信回路１０７は、子機／親機ラインＬ1を経由して伝送されてきたデジタル音声信号Ｓ3bを、子機バッファ１０４に（一時的に）蓄積させる。このデジタル音声信号Ｓ3bは、子機クロック発生回路１０２にて発生された子機マスタクロックＭＣＫ1の周期によって動作する子機音声コーデック１０３を経由してデジタル音声信号Ｓ3aにデジタル／アナログ変換された後、子機スピーカ１０１から受話音声として出力される。
【０１０２】
前述までの第３の実施例における第２の動作よれば、子機／親機ラインＬ1、第３の親機２ｃ、親機／増設親機ラインＬ2を経由して接続された第３の子機１ｃおよび増設親機３の間においてデジタル音声信号を送受信して通話を成立させるにあたり、第３の子機１ｃの子機音声コーデック１０３、増設親機３の増設親機音声コーデック３０３にそれぞれ与えられるマスタクロック（子機マスタクロック、増設親機マスタクロック）の微妙な周波数の不整合を、増設親機マスタクロック補正回路３０６の制御により抑えることができる。これにより、デジタル音声信号からアナログ音声信号にデジタル／アナログ変換する際に連続性が失われず、通話の成立中において通話者に不快感を与えない良好な通話音質を確保することができる。
【０１０３】
なお、本発明の第３の実施例においては、第３の親機２ｃに接続される増設親機として、１台の増設親機３を適用して説明したが、この台数に限定されるものではない。例えば、複数台の増設親機３、３、・・・を個別の親機／増設親機ラインＬ2、Ｌ2、・・・をそれぞれ経由して第３の親機２ｃに接続する態様、または複数台の増設親機３、３、・・・を単一の親機／増設親機ラインＬ2を経由して第３の親機２ｃにバス接続する態様であってもよい。
【０１０４】
なお、前述までの各実施例によれば、玄関に設置される第１の子機１ａと住戸内に設置される第１の親機２ａとの間でデジタル音声信号を送受信させて通話を行う第１の実施例、玄関に設置される第２の子機１ｂと住戸内に設置される第２の親機２ｂとの間でデジタル音声信号を送受信させて通話を行う第２の実施例、玄関に設置される第３の子機１ｃと住戸内に設置される第３の親機２ｃとの間、または第３の親機２ｃと住戸内に設置される増設親機３との間でデジタル音声信号を送受信させて通話を行う第３の実施例についてそれぞれ説明したが、デジタル音声信号を送受信させて通話を行う異なる２つの機器は、これらの態様に限定されるものではない。例えば、本発明の第１乃至第３の各実施例と同様な効果を有する別途の音声同期式送受信装置（以下、本発明の第４の実施例による音声同期式送受信装置という。）として、図１に示すように、複数の送受信機１ａ、１ｂが通話ラインＬ1を経由して接続された当該装置が好適である。
【０１０５】
ここで、図１に示す複数の送受信機１ａ、２ａのうち少なくも１の送受信機は、住戸内に設置される室内機（以下、第１の室内機という。）２ａであり、この第１の室内機２ａには、室内機マイク（親機マイクと同意。）２００、室内機（親機スピーカと同意。）２０１、室内機クロック発生回路（親機クロック発生回路と同意。）２０２、室内機音声コーデック（親機音声コーデックと同意。）２０３、室内機バッファ（親機バッファと同意。）２０４、室内機カウンタ（親機カウンタと同意。）２０５、室内機送受信回路（親機送受信回路と同意。）２０６が備えられている。一方、複数の送受信機１ａ、２ａのうち第１の室内機２ａを除く他の送受信機は、住戸外に設置される室外機（以下、第１の室外機という。）１ａであり、室外機マイク（子機マイクと同意。）１００、室外機スピーカ（子機スピーカと同意。）１０１、室外機クロック発生回路（子機クロック発生回路と同意。）１０２、室外機音声コーデック（子機音声コーデックと同意。）１０３、室外機バッファ（子機バッファと同意。）１０４、室外機カウンタ（子機カウンタと同意。）１０５、室外機マスタクロック補正回路（子機マスタクロック補正回路と同意。）１０６、室外機送受信回路（子機送受信回路と同意。）１０７が備えられている。
【０１０６】
この第４の実施例によれば、前述の第１の実施例による各種動作の作用と同様、通話ラインＬ1を経由して接続された第１の室外機１ａおよび第１の室内機２ａの間においてデジタル音声信号を送受信して通話を成立させるにあたり、第１の室外機１ａの室外機音声コーデック１０３、第１の室内機２ａの室内機音声コーデック２０３にそれぞれ与えられるマスタクロック（室外機マスタクロック、室内機マスタクロック）の微妙な周波数の不整合を、室外機マスタクロック補正回路１０６の制御により抑えることができる（図２を参照。）。これにより、デジタル音声信号からアナログ音声信号にデジタル／アナログ変換する際に連続性が失われず、通話の成立中において通話者に不快感を与えない良好な通話音質を確保することができる。
【０１０７】
また、第４の実施例によれば、通話ラインＬ1を経由して接続された複数の送受信機１ａ、２ａを適用するにあたり、送受信機１ａは第１の室外機、送受信機１ｂは第１の室内機のように、室外、室内にそれぞれ設置したが、これらの設置場所に限定されるものでなく、複数の送受信機１ａ、２ａの構成各部／回路が全て備えられているならば、様々な場所に設置することができる。
【０１０８】
次に、本発明の第１乃至第４の各実施例と同様な効果を有する別途の音声同期式送受信装置（以下、本発明の第５の実施例による音声同期式送受信装置という。）について、図面を参照して説明する。この音声同期式送受信装置は、図３に示すように、複数の送受信機１ｂ、２ｂが通話ラインＬ1を経由して接続されている。
【０１０９】
ここで、図３に示す複数の送受信機１ｂ、２ｂのうち少なくも１の送受信機は、住戸外に設置される室外機（以下、第２の室外機という。）１ｂであり、この第２の室外機１ｂには、室外機マイク１００、室外機スピーカ１０１、室外機クロック発生回路１０２、室外機音声コーデック１０３、室外機バッファ１０４、室外機カウンタ１０５、室外機送受信回路１０６が備えられている。一方、複数の送受信機１ｂ、２ｂのうち第２の室外機１ｂを除く他の送受信機は、住戸内に設置される室内機（以下、第２の室内機という。）２ｂであり、室内機マイク２００、室内機スピーカ２０１、室内機クロック発生回路２０２、室内機音声コーデック２０３、室内機バッファ２０４、室内機カウンタ２０５、室内機送受信回路２０６、室内機マスタクロック補正回路（親機マスタクロック補正回路と同意。）２０７が備えられている。
【０１１０】
この第５の実施例によれば、前述の第２の実施例による各種動作の作用と同様、通話ラインＬ1を経由して接続された第２の室外機１ｂおよび第２の室内機２ｂの間においてデジタル音声信号を送受信して通話を成立させるにあたり、第２の室外機１ｂの室外機音声コーデック１０３、第２の室内機２ｂの室内機音声コーデック２０３にそれぞれ与えられるマスタクロック（室外機マスタクロック、室内機マスタクロック）の微妙な周波数の不整合を、室内機マスタクロック補正回路２０７の制御により抑えることができる（図４を参照。）。これにより、デジタル音声信号からアナログ音声信号にデジタル／アナログ変換する際に連続性が失われず、通話の成立中において通話者に不快感を与えない良好な通話音質を確保することができる。
【０１１１】
なお、第５の実施例によれば、通話ラインＬ1を経由して接続された異なる２つの機器においてデジタル音声信号を送受信して通話を成立させる動作を、第２の室外機１ｂおよび第２の室内機２ｂの間において行う場合について説明したが、この態様に限定されるものではない。例えば、図５に示すように、住戸外に設置した室外機１ｃに通話ラインＬ1、（住戸内に設置した）室内機２ｃを経由して室内機３を接続し、この室外機１ｃおよび室内機３の間においてデジタル音声信号を送受信して通話を成立させる場合であっても、室外機１ｃの室外機音声コーデック１０３、室内機３の室内機音声コーデック３０３にそれぞれ与えられるマスタクロック（室外機マスタクロック、室内機マスタクロック）の微妙な周波数の不整合を、室内機マスタクロック補正回路３０６の制御により抑えることができる（図６を参照。）。これにより、デジタル音声信号からアナログ音声信号にデジタル／アナログ変換する際に連続性が失われず、通話の成立中において通話者に不快感を与えない良好な通話音質を確保することができる。
【０１１２】
また、第５の実施例によれば、通話ラインＬ1を経由して接続された複数の送受信機１ｂ、２ｂを適用するにあたり、送受信機１ｂは第２の室外機、送受信機２ｂは第２の室内機のように、室外、室内にそれぞれ設置したが、これらの設置場所に限定されるものでなく、複数の送受信機１ｂ、２ｂの構成各部／回路が全て備えられているならば、様々な場所に設置することができる。
【０１１３】
さらに、第５の実施例によれば、通話ラインＬ1、Ｌ2を順次経由して接続された複数の送受信機１ｃ、２ｃ、３を適用するにあたり、送受信機１ｃは室外機、送受信機２ｃ、３室内機のように、室外、室内にそれぞれ設置したが、これらの設置場所に限定されるものでなく、複数の送受信機１ｃ、２ｃ、３の構成各部／回路が全て備えられているならば、様々な場所に設置することができる。
【０１１４】
次に、本発明の第１乃至第５の各実施例と同様な効果を有する信号処理システムについて、図面を参照して説明する。この信号処理システムが組み込まれて使用される少なくとも一対の送受信機１ａ、２ａは、図１に示すように、通話ラインＬ1を経由して接続されている。
【０１１５】
ここで、図１に示す一対の送受信機１ａ、２ａには、マイク１００、２００、スピーカ１０１、２０１がそれぞれ備えられている。
【０１１６】
また、一対の送受信機１ａ、２ａのうち一方の送受信機１ａを構成する信号処理システムには、クロック発生回路１０２、音声コーデック１０３、バッファ１０４、カウンタ１０５、マスタクロック補正回路１０６、送受信回路１０７が備えられている。一方、一対の送受信機１ａ、２ａのうち他方の送受信機２ａを構成する信号処理システムには、クロック発生回路２０２、音声コーデック２０３、バッファ２０４、カウンタ２０５、送受信回路２０６が備えられている。
【０１１７】
この第６の実施例によれば、前述の第１の実施例による各種動作の作用と同様、通話ラインＬ1を経由して接続された一対の送受信機１ａ、２ａの間においてデジタル音声信号を送受信して通話を成立させるにあたり、一方の送受信機１ａの信号処理システムを構成する音声コーデック１０３、他方の送受信機２ａの信号処理システムを構成する音声コーデック２０３にそれぞれ与えられるマスタクロック（一方の送受信機１ａのマスタクロック、他方の送受信機２ａのマスタクロック）の微妙な周波数の不整合を、一方の送受信機１ａの信号処理システムを構成するマスタクロック補正回路１０６の制御により抑えることができる（図２を参照。）。これにより、デジタル音声信号からアナログ音声信号にデジタル／アナログ変換する際に連続性が失われず、通話の成立中において通話者に不快感を与えない良好な通話音質を確保することができる。
【０１１８】
なお、前述までの第６の実施例においては、一対の送受信機として、図１に示す一対の送受信機１ａ、２ａを適用したが、この態様に限定されるものではない。例えば、第６の実施例における別途の態様として、図３に示すように、少なくとも一対の送受信機１ｂ、２ｂが通話ラインＬ1を経由して接続された当該装置も好適である。
【０１１９】
ここで、図３に示す一対の送受信機１ｂ、２ｂには、マイク１００、２００、スピーカ１０１、２０１がそれぞれ備えられている。
【０１２０】
また、一対の送受信機１ｂ、２ｂのうち一方の送受信機２ｂには、信号処理システムを構成するクロック発生回路２０２、音声コーデック２０３、バッファ２０４、カウンタ２０５、送受信回路２０６、マスタクロック補正回路２０７が備えられている。一方、一対の送受信機１ｂ、２ｂのうち他方の送受信機１ｂには、信号処理システムを構成するクロック発生回路１０２、音声コーデック１０３、バッファ１０４、カウンタ１０５、送受信回路１０７とが備えられている。
【０１２１】
この第６の実施例における別途の態様によれば、前述の第２の実施例による各種動作の作用と同様、通話ラインＬ1を経由して接続された一対の送受信機１ｂ、２ｂの間においてデジタル音声信号を送受信して通話を成立させるにあたり、一方の送受信機２ｂの信号処理システムを構成する音声コーデック２０３、他方の送受信機１ｂの信号処理システムを構成する音声コーデック１０３にそれぞれ与えられるマスタクロック（一方の送受信機２ｂのマスタクロック、他方の送受信機１ｂのマスタクロック）の微妙な周波数の不整合を、一方の送受信機２ｂの信号処理システムを構成するマスタクロック補正回路２０７の制御により抑えることができる（図４を参照。）。これにより、デジタル音声信号からアナログ音声信号にデジタル／アナログ変換する際に連続性が失われず、通話の成立中において通話者に不快感を与えない良好な通話音質を確保することができる。
【０１２２】
なお、第６の実施例および当該第６の実施例における別途の態様によれば、通話ラインＬ1を経由して接続された異なる２つの機器においてデジタル音声信号を送受信して通話を成立させる動作を、一対の送受信機１ａ、２ａおよび一対の送受信機１ｂ、２ｂの間においてそれぞれ行う場合について説明したが、この態様に限定されるものではない。例えば、図５に示すように、一対の送受信機として、送受信機１ｃに通話ラインＬ1、送受信機２ｃを経由して送受信機３を接続し、この送受信機１ｃ、３の間または送受信機２ｃ、３においてそれぞれデジタル音声信号を送受信して通話を成立させる場合であっても、送受信機１ｃの信号処理システムを構成する音声コーデック１０３、送受信機３の信号処理システムを構成する音声コーデック３０３にそれぞれ与えられるマスタクロックの微妙な周波数の不整合、送受信機２ｃの信号処理システムを構成する音声コーデック２０３、送受信機３の信号処理システムを構成する音声コーデック３０３にそれぞれ与えられるマスタクロックの微妙な周波数の不整合を、マスタクロック補正回路３０６の制御により抑えることができる。これにより、デジタル音声信号からアナログ音声信号にデジタル／アナログ変換する際に連続性が失われず、通話の成立中において通話者に不快感を与えない良好な通話音質を確保することができる。
【０１２３】
次に、本発明の第１乃至第６の各実施例と同様な効果を有する音声同期式送受信装置に組み込んで使用される信号処理装置について、図面を参照して説明する。この信号処理装置を有する少なくとも一対の送受信機１ａ、２ａは、図１に示すように、通話ラインＬ1を経由して接続されている。
【０１２４】
ここで、図１に示す一対の送受信機１ａ、２ａには、マイク１００、２００、スピーカ１０１、２０１がそれぞれ備えられている。
【０１２５】
また、図１に示す一対の送受信機１ａ、２ａのうち一方の送受信機１ａを構成する信号処理装置には、クロック発生回路１０２、音声コーデック１０３、バッファ１０４、カウンタ１０５、マスタクロック補正回路１０６、送受信回路１０７が備えられている。一方、一対の送受信機１ａ、２ａのうち他方の送受信機２ａを構成する信号処理装置には、クロック発生回路２０２、音声コーデック２０３、バッファ２０４、カウンタ２０５、送受信回路２０６が備えられている。
【０１２６】
この第７の実施例によれば、前述の第１の実施例による各種動作の作用と同様、通話ラインＬ1を経由して接続された一対の送受信機１ａ、２ａの間においてデジタル音声信号を送受信して通話を成立させるにあたり、一方の送受信機１ａの信号処理装置を構成する音声コーデック１０３、他方の送受信機２ａの信号処理装置を構成する音声コーデック２０３にそれぞれ与えられるマスタクロック（一方の送受信機１ａのマスタクロック、他方の送受信機２ａのマスタクロック）の微妙な周波数の不整合を、一方の送受信機１ａの信号処理装置を構成するマスタクロック補正回路１０６の制御により抑えることができる（図２を参照。）。これにより、デジタル音声信号からアナログ音声信号にデジタル／アナログ変換する際に連続性が失われず、通話の成立中において通話者に不快感を与えない良好な通話音質を確保することができる。
【０１２７】
また、第７の実施例によれば、一対の送受信機１ａ、２ａの信号処理装置を、当該送受信機の回路基板上または半導体集積回路上に一体的に形成することにより、各送受信機共通に組み込んで使用することができる。
【０１２８】
なお、前述までの第７の実施例においては、一対の送受信機として、図１に示す一対の送受信機１ａ、２ａを適用したが、この態様に限定されるものではない。例えば、第７の実施例における別途の態様として、図３に示すように、少なくとも一対の送受信機１ｂ、２ｂが通話ラインＬ1を経由して接続された当該装置も好適である。
【０１２９】
ここで、図３に示す一対の送受信機１ｂ、２ｂには、マイク１００、２００、スピーカ１０１、２０１がそれぞれ備えられている。
【０１３０】
また、図３に示す一対の送受信機１ｂ、２ｂのうち一方の送受信機１ｂを構成する信号処理装置には、クロック発生回路１０２、音声コーデック１０３、バッファ１０４、カウンタ１０５、マスタクロック補正回路１０６、送受信回路１０７が備えられている。一方、一対の送受信機１ｂ、２ｂのうち他方の送受信機２ｂを構成する信号処理装置には、クロック発生回路２０２、音声コーデック２０３、バッファ２０４、カウンタ２０５、送受信回路２０６が備えられている。
【０１３１】
この第７の実施例における別途の態様によれば、前述の第２の実施例による各種動作の作用と同様、通話ラインＬ1を経由して接続された一対の送受信機１ｂ、２ｂの間においてデジタル音声信号を送受信して通話を成立させるにあたり、一方の送受信機２ｂの信号処理装置を構成する音声コーデック２０３、他方の送受信機１ｂの信号処理装置を構成する音声コーデック１０３にそれぞれ与えられるマスタクロック（一方の送受信機２ｂのマスタクロック、他方の送受信機１ｂのマスタクロック）の微妙な周波数の不整合を、一方の送受信機２ｂの信号処理装置を構成するマスタクロック補正回路２０７の制御により抑えることができる（図４を参照。）。これにより、デジタル音声信号からアナログ音声信号にデジタル／アナログ変換する際に連続性が失われず、通話の成立中において通話者に不快感を与えない良好な通話音質を確保することができる。
【０１３２】
なお、第７の実施例および当該第７の実施例における別途の態様によれば、通話ラインＬ1を経由して接続された異なる２つの機器においてデジタル音声信号を送受信して通話を成立させる動作を、一対の送受信機１ａ、２ａおよび一対の送受信機１ｂ、２ｂの間においてそれぞれ行う場合について説明したが、この態様に限定されるものではない。例えば、図５に示すように、一対の送受信機として、送受信機１ｃに通話ラインＬ1、送受信機２ｃを経由して送受信機３を接続し、この送受信機１ｃ、３の間または送受信機２ｃ、３においてそれぞれデジタル音声信号を送受信して通話を成立させる場合であっても、送受信機１ｃの信号処理装置を構成する音声コーデック１０３、送受信機３の信号処理装置を構成する音声コーデック３０３にそれぞれ与えられるマスタクロックの微妙な周波数の不整合、送受信機２ｃの信号処理システムを構成する音声コーデック２０３、送受信機３の信号処理システムを構成する音声コーデック３０３にそれぞれ与えられるマスタクロックの微妙な周波数の不整合を、マスタクロック補正回路３０６の制御により抑えることができる。これにより、デジタル音声信号からアナログ音声信号にデジタル／アナログ変換する際に連続性が失われず、通話の成立中において通話者に不快感を与えない良好な通話音質を確保することができる。
【０１３３】
また、第７の実施例における別途の態様によれば、一対の送受信機１ｂ、２ｂ、３の信号処理装置を、当該送受信機の回路基板上または半導体集積回路上に一体的に形成することにより、各送受信機共通に組み込んで使用することができる。
【０１３４】
また、本発明の音声同期式送受信装置、信号処理システムおよび当該音声同期式送受信装置に組み込んで使用される信号処理装置においては、特定の実施の形態をもって説明してきたが、この形態に限定されるものでなく、本発明の効果を奏する限り、これまで知られた如何なる構成の装置／システムであっても採用できるということはいうまでもないことである。
【図面の簡単な説明】
【０１３５】
【図１】図１は、本発明の第１、第４の各実施例による音声同期式送受信装置、第６の実施例による信号処理システム、第７の実施例による音声同期式送受信装置に組み込んで使用される信号処理装置の具体的な構成をそれぞれ示すブロック図。
【図２】図２（ａ）、（ｂ）は、本発明の第１、第４の各実施例による音声同期式送受信装置、第６の実施例による信号処理システム、第７の実施例による音声同期式送受信装置に組み込んで使用される信号処理装置において適用されるマスタクロックの補正処理をそれぞれ示す説明図。
【図３】図３は、本発明の第２、第５の各実施例による音声同期式送受信装置、第６の実施例による信号処理システム、第７の実施例による音声同期式送受信装置に組み込んで使用される信号処理装置の具体的な構成をそれぞれ示すブロック図。
【図４】図４（ａ）、（ｂ）は、本発明の第２、第５の各実施例による音声同期式送受信装置、第６の実施例による信号処理システム、第７の実施例による音声同期式送受信装置に組み込んで使用される信号処理装置において適用されるマスタクロックの補正処理をそれぞれ示す説明図。
【図５】図５は、本発明の第３、第５の各実施例による音声同期式送受信装置、第６の実施例による信号処理システム、第７の実施例による音声同期式送受信装置に組み込んで使用される信号処理装置の具体的な構成をそれぞれ示すブロック図。
【図６】図６（ａ）、（ｂ）、（ｃ）、（ｄ）は、本発明の第３、第５の各実施例による音声同期式送受信装置、第６の実施例による信号処理システム、第７の実施例による音声同期式送受信装置に組み込んで使用される信号処理装置において適用されるマスタクロックの補正処理をそれぞれ示す説明図。
【符号の説明】
【０１３６】
１ａ……第１の子機、第１の室外機、一方の送受信機
１ｂ……第２の子機、第２の室外機、他方の送受信機
１ｃ……第３の子機、室外機、送受信機
１００……子機マイク（室外機マイク、マイク）
１０１……子機スピーカ（室外機スピーカ、スピーカ）
１０２……子機クロック発生回路（室外機クロック発生回路、クロック発生回路）
１０３……子機音声コーデック（室外機音声コーデック、音声コーデック）
１０５……子機カウンタ（室外機カウンタ、カウンタ）
１０６……子機マスタクロック補正回路（室外機マスタクロック補正回路、マスタクロック補正回路）
１０７……子機送受信回路（室外機送受信回路、送受信回路）
２ａ……第１の親機、第１の室内機、他方の送受信機
２ｂ……第２の親機、第２の室内機、一方の送受信機
２ｃ……第３の親機、室内機、送受信機
２００……親機マイク（室内機マイク、マイク）
２０１……親機スピーカ（室内機スピーカ、スピーカ）
２０２……親機クロック発生回路（室内機クロック発生回路、クロック発生回路）
２０３……親機音声コーデック（室内機音声コーデック、音声コーデック）
２０５……親機カウンタ（室内機カウンタ、カウンタ）
２０６……親機送受信回路（室内機送受信回路、送受信回路）
２０７……親機マスタクロック補正回路（室内機マスタクロック補正回路、マスタクロック補正回路）
３……増設親機、室内機、送受信機
３００……増設親機マイク（マイク）
３０１……増設親機スピーカ（スピーカ）
３０２……増設親機クロック発生回路（クロック発生回路）
３０３……増設親機音声コーデック（音声コーデック）
３０５……増設親機カウンタ（カウンタ）
３０６……増設親機マスタクロック補正回路（マスタクロック補正回路）
３０７……増設親機送受信回路（送受信回路）
Ｌ1……子機／親機ライン（通話ライン）
Ｌ2……親機／増設親機ライン（通話ライン）
【図１】
2007266856.tif 000003
【図２】
2007266856.tif 000004
【図３】
2007266856.tif 000005
【図４】
2007266856.tif 000006
【図５】
2007266856.tif 000007
【図６】
2007266856.tif 000008